(57)【要約】【課題】安価に製作することができる均等配置冶具を提供する。【解決手段】均等配置冶具２０は、同じ形状を有する複数の分割冶具部材４０を連結することにより構成され、例えば半円形状を有する一方の分割冶具部材４０と、一方の分割冶具部材４０と同じ形状を有する半円形状を有する他方の分割冶具部材４０と、を連結することで構成され、一方の前記分割冶具部材４０と他方の前記分割冶具部材４０は、それぞれ連結部分３５を有し、前記連結部分３５は、連結用の凹部３６と前記連結用の凹部３６にはめ込まれる連結用の凸部３７を有する。【選択図】図３
2015098718.tif 000002
【特許請求の範囲】
【請求項１】
中空柱内に補強用棒状部材を通して均等に配置するための均等配置冶具であって、
前記均等配置冶具は、同じ形状を有する複数の分割冶具部材を連結することにより構成されていることを特徴とする均等配置冶具。
【請求項２】
前記均等配置冶具は、半円形状を有する一方の前記分割冶具部材と、一方の前記分割冶具部材と同じ形状を有する半円形状を有する他方の前記分割冶具部材と、を連結することで構成されていることを特徴とする請求項１に記載の均等配置冶具。
【請求項３】
一方の前記分割冶具部材と他方の前記分割冶具部材は、それぞれ連結部分を有し、前記連結部分は、連結用の凹部と前記連結用の凹部にはめ込まれる連結用の凸部を有することを特徴とする請求項２に記載の均等配置冶具。
【請求項４】
前記均等配置冶具の周囲は、補強用のテープを巻くことにより補強されていることを特徴とする請求項１ないし３のいずれかに記載の均等配置冶具。
【発明の詳細な説明】
【技術分野】
【０００１】
本発明は、例えばコンクリート製電柱や鋼管柱等のような中空柱内において、アラミドロッドとＰＣ鋼線等の補強用棒状部材を通して均等に配置するための均等配置冶具に関する。
【背景技術】
【０００２】
コンクリート製電柱や鋼管柱等のような中空柱は、全長が例えば十数メートルほどあり、その下部が地中に埋設されて立設されている。中空柱の地中部分と地上に立設された地上部分との境の地際を補強するために、図１０に示すように、その地際を挟んで地上数メートル程度の所まで補強用棒状部材である複数本のアラミドロッド１２１やＰＣ鋼線１２３を、中空柱１０１の内部に配設するとともに、これらの補強用棒状部材の間にはモルタル１２５を充填する。中空柱１０１は、地上部分の下端部寄りに側部開口１０１Ｃを有している。
【０００３】
複数本のアラミドロッド１２１やＰＣ鋼線１２３は、中空柱１０１の内周面に沿って均等かつ交互に配設されるように、ロッド配置用スペーサである複数の均等配置冶具３を使用している。アラミドロッド１２１やＰＣ鋼線１２３は、これらの均等配置冶具３に形成された複数の孔であるアラミドロッド保持部およびＰＣ鋼線保持部にそれぞれ挿通されて保持される。
【０００４】
なお、均等配置冶具３の中央に形成された中央孔に対しては、中空柱１０１の中心軸に配設されるガイド棒５が貫通することで、均等配置冶具３は中空柱１０１内の中心に配設されるとともに、複数の均等配置冶具３が、中空柱１０１の上下方向に所定の間隔で複数配設されている（例えば、特許文献１を参照）。
【先行技術文献】
【特許文献】
【０００５】
【特許文献１】特開２０１１−１５７７６９号公報
【発明の概要】
【発明が解決しようとする課題】
【０００６】
ところが、上述した均等配置冶具の形状や大きさは、中空柱の種類や太さにより異なるが、中空柱の補強コストを低減するために、均等配置冶具は安価に製作できることが望まれている。
【０００７】
本発明は、上記に鑑みてなされたもので、その目的とするところは、安価に製作することができ、中空柱の補強コストを低減できる均等配置冶具を提供することにある。
【課題を解決するための手段】
【０００８】
上記課題を達成するため、請求項１に記載の均等配置冶具は、中空柱内に補強用棒状部材を通して均等に配置するための均等配置冶具であって、前記均等配置冶具は、同じ形状を有する複数の分割冶具部材を連結することにより構成されていることを特徴とする。
【０００９】
請求項１に記載の均等配置冶具では、均等配置冶具は同じ形状を有する複数の分割冶具部材を連結することにより構成できるので、分割されていない一体型の均等配置冶具を大きな金型を用いて製作するのに比べて、同じ小さなサイズの金型を用いて分割冶具部材を製作でき、均等配置冶具を安価に製作できる。このため、中空柱の補強コストを低減できる。
【００１０】
請求項２に記載の均等配置冶具では、前記均等配置冶具は、半円形状を有する一方の前記分割冶具部材と、一方の前記分割冶具部材と同じ形状を有する半円形状を有する他方の前記分割冶具部材と、を連結することで構成されていることを特徴とする。
【００１１】
請求項２に記載の均等配置冶具では、分割されていない一体型の均等配置冶具を大きな金型を用いて製作するのに比べて、同じ小さなサイズの金型を用いて一方の分割冶具部材と他方の分割冶具部材を製作できるので、均等配置冶具を安価に製作できる。
【００１２】
請求項３に記載の均等配置冶具では、一方の前記分割冶具部材と他方の前記分割冶具部材は、それぞれ連結部分を有し、前記連結部分は、連結用の凹部と前記連結用の凹部にはめ込まれる連結用の凸部を有することを特徴とする。
【００１３】
請求項３に記載の均等配置冶具では、一方の分割冶具部材と他方の分割冶具部材は、連結用の凹部と連結用の凹部にはめ込まれる連結用の凸部を有する簡単な構造により、均等配置冶具の製作現場において一方の分割冶具部材と他方の分割冶具部材を容易に連結して均等配置冶具を製作できる。
【００１４】
請求項４に記載の均等配置冶具では、前記均等配置冶具の周囲は、補強用のテープを巻くことにより補強されていることを特徴とする。
【００１５】
請求項４に記載の均等配置冶具では、一方の分割冶具部材と他方の分割冶具部材の連結状態を、補強用のテープによりさらに補強することができる。
【図面の簡単な説明】
【００１６】
【図１】本発明の実施形態の均等配置冶具を有するコンクリート製電柱や鋼管柱等のような中空柱の例を示す図である。
【図２】均等配置冶具にアラミドロッドとＰＣ鋼線が挿入されている状態を示す斜視図である。
【図３】均等配置冶具と回収用冶具の構造例を示す平面図である。
【図４】均等配置冶具と回収用冶具の構造例を示す斜視図である。
【図５】回収用冶具を用いて均等配置冶具を回収する状態を示す正面図である。
【図６】均等配置冶具を構成するための分割冶具部材を示す斜視図である
【図７】図７（Ａ）と図７（Ｂ）は、図６に示す分割冶具部材の平面図と底面図である。
【図８】図８（Ａ）と図８（Ｂ）は、分割冶具部材の正面図と背面図である。
【図９】図９（Ａ）と図９（Ｂ）は、分割冶具部材の右側面図と左側面図である。
【図１０】従来の例を示す図である。
【発明を実施するための形態】
【００１７】
以下、図面を用いて、本発明を実施するための形態(以下、実施形態と称する)を説明する。
【００１８】
図１は、本発明の実施形態の均等配置冶具を有するコンクリート製電柱や鋼管柱等のような中空柱１の例を示している。図２は、均等配置冶具２０にアラミドロッド１３とＰＣ鋼線１４が挿入されている状態を示している。
【００１９】
図１に示す中空柱１は、全長が例えば十数メートルほどあり、その下部が地中に埋設されて立設されている。中空柱１は、例えばコンクリート製柱（例えば、テーパの有するコンクリート製電柱）であるが、これに限らずテーパの無いコンクリート製電柱や鋼管柱であっても良い。
【００２０】
中空柱１には、中空柱１の地中部分と地上に立設された地上部分との境の地際を補強するために、その地際を挟んで地上数メートル程度の所まで補強用棒状部材である複数本のアラミドロッド１３と、複数本のＰＣ鋼線１４を用いている。これらのアラミドロッド１３とＰＣ鋼線１４は、中空柱１の内部において均等に配設するとともに、これらの補強用棒状部材の間にはモルタル（図示を省略）が充填されている。これにより、中空柱１は補強されている。中空柱１は、地際の上側の部分に側部開口１Ｒを有している。
【００２１】
図１に示すように、中空柱１においては、複数本のアラミドロッド１３やＰＣ鋼線１４が、中空柱１の内周面に沿って均等に、しかも交互に配設されるように、図２に示すようなロッド配置用スペーサである均等配置冶具２０を使用している。アラミドロッド１３やＰＣ鋼線１４は、この均等配置冶具２０の周縁部に形成された複数の孔であるアラミドロッド保持部２２およびＰＣ鋼線保持部２３に、それぞれ通すことで保持される。
【００２２】
図１に示すように、この均等配置冶具２０は、その中央に中央孔部１０を有している。ガイド棒５は、各均等配置冶具２０の中央孔部１０に通すことで、各均等配置冶具２０は、中空柱１の中心軸に配設される。各均等配置冶具２０の間隔は、スペーサ２８を用いて保持されている。
【００２３】
次に、図２から図５を参照して、均等配置冶具２０の構造例と、この均等配置冶具２０を中空柱１内から回収するための回収用冶具５０の構造例を、詳しく説明する。
【００２４】
図３は、均等配置冶具２０と回収用冶具５０の構造例を示す平面図である。図４は、均等配置冶具２０と回収用冶具５０の構造例を示す斜視図である。図５は、回収用冶具５０を用いて均等配置冶具２０を中空柱１内から回収する例を示す正面図である。
【００２５】
中空柱１の補強作業では、上述した複数の均等配置冶具２０を使用するが、この均等配置冶具２０が、補強作業の途中で中空柱１内の下方において、所定の状態に設定されないことがある。このように所定の状態に設定できなかった均等配置冶具２０は、中空柱１内では、中空柱１の補強作業には支障を来すものであるため、中空柱１内の下方から中空柱１の外に回収する必要がある。そこで、所定の状態に設定できなかった均等配置冶具２０は、図３（Ｂ）と図４に示すような回収用冶具５０を用いて中空柱１内から引っ張り上げて回収することができるようになっている。
【００２６】
まず、図２から図４を参照して、均等配置冶具２０の構造例を説明する。
【００２７】
図２と図３（Ａ）と図４に示す均等配置冶具２０は、金型を用いて、プラスチック材料を成形することより円形状に作られている。均等配置冶具２０は、リング状の外郭部２１と、複数のアラミドロッド保持部２２と、複数のＰＣ鋼線保持部２３と、中央孔部１０を有している。
【００２８】
図２に示すように、アラミドロッド保持部２２は、アラミドロッド１３を通すための挿入部の例であり、ＰＣ鋼線保持部２３は、ＰＣ鋼線１４を通すための挿入部の例である。図３（Ａ）に示す中央孔部１０には、図２に示すガイド棒５を通す。
【００２９】
図３（Ａ）と図４に示すように、均等配置冶具２０の中央には、円形状の突出部２９が形成されている。この突出部２９内には中央孔部１０が設けられている。この中央孔部１０は、複数のリブ２５の中央の位置に設けられている。
【００３０】
図２に示すように、１つのアラミドロッド保持部２２には、１本のアラミドロッド１３が通っており、１つのＰＣ鋼線保持部２３には、ＰＣ鋼線１４が通っている。また、図２に示すスペーサ２８はパイプ状の部材であり、突出部２９は、スペーサ２８の下端部内にはめ込まれる。これにより、スペーサ２８は、均等配置冶具２０の中心位置に対して確実に位置決めできる。このスペーサ２８は、図１に示すように、均等配置冶具２０と隣の均等配置冶具２０の間隔を保持するために配置され、このスペーサ２８には、ガイド棒５が通っている。
【００３１】
図３（Ａ）に示すように、８つのアラミドロッド保持部２２は、外郭部２１の内面２４において、４５度毎に内側に突出して形成されている。８つのＰＣ鋼線保持部２３が、外郭部２１の内面２４において、４５度毎に内側に突出して形成されている。各ＰＣ鋼線保持部２３は、両隣のアラミドロッド保持部２２，２２の間において、両隣のアラミドロッド保持部２２，２２の中間の位置に設けられている。
【００３２】
これにより、アラミドロッド１３とＰＣ鋼線１４は、配列角度２２．５度毎に、交互に、外郭部２１の内面２４において、中空柱１の空洞の周方向に沿って均等に配置することができる。このように、複数のアラミドロッド１３と複数の鋼線１４は、均等配置冶具２０により均等に配置することで、中空柱１を周方向に均一に補強できる。
【００３３】
図２に示すように、均等配置冶具２０の外郭部２１の外面には、好ましくはプラスチック製のシートあるいはプラスチック製のテープ布、例えばアラミドテープ布２６が好ましくは２重、３重に巻かれて設けられている。アラミドテープ布２６は、アラミドシートであり、均等配置冶具２０の外郭部２１が外力を受けて割れてしまうのを防止するために設けられている。
【００３４】
図２と図５に示すように、均等配置冶具２０は、例えば６つの磁気的に吸引可能な部材３０を有しており、これらの磁気的に吸引可能な部材３０は、例えばリブ２５の上部に固定されている。各磁気的に吸引可能な部材３０は、磁気的な吸引が可能な金属材料、例えば鉄製の円形状の板材であり、均等配置冶具２０の周方向に沿って６０度毎に配置されている。
【００３５】
図２と図３に示す均等配置冶具２０は、半円形型の２つの分割冶具部材４０，４０を連結することで、円形の均等配置冶具として構成されている。
【００３６】
２つの分割冶具部材４０，４０は、図２において、連結線ＤＬにおいて着脱可能に連結されている。この連結線ＤＬは、１つのＰＣ鋼線保持部２３と正反対にある１つのＰＣ鋼線保持部２３を通る直線である。
【００３７】
図６は、分割冶具部材４０を示す斜視図である。図７（Ａ）と図７（Ｂ）は、図６に示す分割冶具部材４０の平面図と底面図である。図８（Ａ）と図８（Ｂ）は、分割冶具部材４０の正面図と背面図である。図９（Ａ）と図９（Ｂ）は、分割冶具部材４０の右側面図と左側面図である。
【００３８】
図６から図９に示すように、２つの分割冶具部材４０，４０は全く同じ形状を有しており、例えばプラスチック材料を、同じ形状の金型を用いて成形することで作られている。分割冶具部材４０は、外郭部２１の半分割部分２１Ａと、複数のリブ２５と、４つのアラミドロッド保持部２２と、３つのＰＣ鋼線保持部２３と、２つのＰＣ鋼線保持部２３の半分割部分２３Ａと、直線状（平面状）の連結部分３５を有している。
【００３９】
図３に示すように、２つの分割冶具部材４０の連結部分３５は、連結線ＤＬに沿っている平面である。この連結部分３５には、複数の連結用の凹部３６と、複数の連結用の凸部３７が形成されている。一方の分割冶具部材４０の連結部分３５の複数の連結用の凹部３６と複数の連結用の凸部３７は、他方の分割冶具部材４０の連結部分３５の複数の連結用の凸部３７と複数の連結用の凹部３６にそれぞれ対応する位置に形成されている。
【００４０】
連結用の凹部３６は、Ｔ字型に形成され、連結用の凸部３７は、Ｔ字型に形成されている。図３に示すように、一方の分割冶具部材４０の連結部分３５の連結用の凹部３６には、他方の分割冶具部材４０の連結部分３５の連結用の凸部３７をはめ込み、しかも他方の分割冶具部材４０の連結部分３５の連結用の凹部３６には、一方の分割冶具部材４０の連結部分３５の連結用の凸部３７をはめ込む。これにより、一方の分割冶具部材４０の連結部分３５は、他方の分割冶具部材４０の連結部分３５に突き合わせて密着されるとともに、円形状の均等配置冶具２０を連結して構成することができる。
【００４１】
このように、２つの分割冶具部材４０，４０は同じ形状を有しており、例えばプラスチック材料を、同じ形状の金型を用いて成形することで作られている。このため、同じ金型を用いて２つの分割冶具部材４０，４０を製造することができるので、分割されていない一体型の均等配置冶具を大きな金型を用いて製作するのに比べて、均等配置冶具を安価に製作できる。従って、中空柱１の補強作業におけるコストを低減できる。
【００４２】
ここで、図３（Ａ）と図４を参照して、回収用冶具５０の構造例を説明する。
【００４３】
回収用冶具５０は、保持部材５１と、例えばこの保持部材５１に固定された６つの円柱型の永久磁石５２を有している。保持部材５１は、例えば円筒状の部材であり、プラスチックやセラミックスにより作られている。保持部材５１には、円形の貫通穴５９が軸方向に形成されている。図４に示すように、この貫通穴５９には、ガイド棒５を通すことができる。保持部材５１は、例えば分割部材５３を複数個積み重ねて、相互に例えばネジ５４により固定することで構成されているが、これに限らず１つの円筒状部材で作っても良い。
【００４４】
図３（Ａ）と図４に示すように、保持部材５１の周囲面の下部には、６つの永久磁石５２が、半径方向に突出するようにして周方向に沿って６０度毎に設けられている。図４に示す均等配置冶具２０の例えば円形状の磁気的に吸引可能な部材３０は、１つの円周上に沿って配置されており、各永久磁石５２は、各磁気的に吸引可能な部材３０に位置的に対応している。
【００４５】
これにより、各永久磁石５２は、図４の矢印で示すように、均等配置冶具２０の対応する位置にある磁気的に吸引可能な部材３０を磁気的に吸引することができるので、均等配置治具２０は保持部材５０側に着脱可能に固定することができる。この永久磁石５２の磁気吸引力は、均等配置冶具２０を確実に保持しながら、Ｚ方向に引き上げることができるのに十分な力である。
【００４６】
図３（Ａ）と図４に示すように、保持部材５１の周囲面の上部には、取付け具５５が固定されている。この取り付け具５５は、例えばネジであり、この取付け具５５には、例えば線状の操作部材としてのロープ５６の端部が固定されている。このロープ５６は、回収用冶具５０を、図１に示す中空柱１内で降ろして均等配置治具２０を保持部材５０側に固定後に、回収用冶具５０とともに均等配置冶具２０をＺ方向に引き上げるために用いられる操作部材の一例である。
【００４７】
次に、上述した均等配置冶具２０の組立てについて説明する。
【００４８】
１つの種類の金型を用意して、この金型を用いて図６と図７に示す分割冶具部材４０を製造する。このように、１種類の金型を用意すれば、複数の１種類の分割冶具部材４０を容易に製造できる。
【００４９】
そして、図６に示す複数個の分割冶具部材４０を用意して、図３（Ａ）に示すように、一方の分割冶具部材４０の連結部分３５の連結用の凹部３６には、他方の分割冶具部材４０の連結部分３５の連結用の凸部３７をはめ込み、しかも他方の分割冶具部材４０の連結部分３５の連結用の凹部３６には、一方の分割冶具部材４０の連結部分３５の連結用の凸部３７をはめ込む。これにより、一方の分割冶具部材４０の連結部分３５は、他方の分割冶具部材４０の連結部分３５に突き合わせるようにして密着された状態で、円形状の均等配置冶具２０を構成する。このようにして、均等配置冶具２０は、１種類の複数の分割冶具部材４０，４０を連結して組み合わせることにより、安価に製作することができる。このため、中空柱１の補強作業においてコストダウンを図れる。
【００５０】
その後、図２に示すように、均等配置冶具２０の外郭部２１の外面には、好ましくはプラスチック製のシートあるいはプラスチック製の補強用のテープ布、例えばアラミドテープ布２６が好ましくは２重、３重に巻かれる。このアラミドテープ布２６を均等配置冶具２０の外郭部２１に巻き付けることにより、アラミドテープ布２６は均等配置冶具２０の分割冶具部材４０，４０の外周部分を強固に保持できる。従って、分割冶具部材４０，４０の連結状態をより確実にすることができる。しかも、アラミドテープ布２６は均等配置冶具２０の外郭部２１が外力を受けて割れてしまうのを防止する。
【００５１】
次に、図３（Ｂ）と図４に示す回収用冶具５０を用いて、中空柱１内に落とした均等配置冶具２０を持ち上げて、中空柱１の上方から回収する回収方法の例について説明する。
【００５２】
そして、図１に示すように、複数本のアラミドロッド１３やＰＣ鋼線１４は、中空柱１の内周面に沿って均等かつ交互に配設されるようにするために、均等配置冶具２０を、中空柱１内で使用する。アラミドロッド１３やＰＣ鋼線１４は、この均等配置冶具２０のアラミドロッド保持部２２およびＰＣ鋼線保持部２３に、それぞれ通して保持される。
【００５３】
この均等配置冶具２０では、ガイド棒５は、各均等配置冶具２０の中央孔部１０に通すことで、各均等配置冶具２０は、中空柱１の中心軸に配設されるとともに、各均等配置冶具２０は、図２に示すスペーサ２８を用いて中空柱１内において上下方向に所定の間隔で配設される。
【００５４】
ところで、中空柱１の補強作業では、上述したように、複数本の均等配置冶具２０を使用するが、この均等配置冶具２０が、補強作業の途中で中空柱１内の下方において、所定の状態に設定されないことがある。このように所定の状態に設定できなかった均等配置冶具２０は、中空柱１内では、中空柱１の補強作業には支障を来すものであるため、中空柱１内の下方から中空柱１の外に回収する必要である。そこで、所定の状態に設定できなかった均等配置冶具２０は、図３（Ｂ）と図４と図５に示すような回収用冶具５０を用いて磁気的に吸引して、均等配置冶具２０と回収用冶具６０を中空柱１内から引っ張り上げて回収することができる。
【００５５】
そこで、図１において、例えば均等配置冶具２０がガイド棒５に挿通された状態で、中空柱１の下方に落ちてしまったものとする。この状態では、ガイド棒５は均等配置冶具２０の中央孔部１０に通っており、均等配置冶具２０が中空柱１内に存在しているが、アミドロッド１３とＰＣ鋼線１４等は、中空柱１内には無い。
【００５６】
このように、ガイド５に挿通された均等配置冶具２０が中空柱１内に存在している状態において、まず作業者は、図４に示す回収用冶具５０の保持部材５１の貫通穴５９にガイド棒５の上端を通して、ロープ５６を用いて回収用冶具５０の保持部材５１を、ガイド棒５に沿って中空柱１の内部で吊り下げながら下降させる。
【００５７】
回収用冶具５０を中空柱１内でガイド棒５に沿って吊り下げる際には、作業者は、ロープ５６を用いて少しずつ下げていくので、回収用冶具５０が落下することなく、スムーズに回収用冶具５０を中空柱１の内部で下げていくことができる。これにより、図５に示すように、回収用冶具５０の保持部材５１の下端部は、引き上げようとする均等配置冶具２０の上面側に載せて、保持部材５１の下降を停止させる。
【００５８】
図５に示すように、保持部材５１が均等配置冶具２０に載った状態では、保持部材５１と均等配置冶具２０の相互の位置決めは、ガイド棒５によって行われている。従って、回収用冶具５０の各永久磁石５２が、均等配置冶具２０側の対応する磁気的に吸引可能な部材３０を磁気的に吸引して、保持部材５１に対して均等配置冶具２０を容易にしかも確実に固定することができる。
【００５９】
次に、作業者は、ロープ５６を図５に示すＺ方向に引き上げて、均等配置冶具２０が図１の中空柱１の最上部の開口部あるいは中空柱１の側部開口１Ｒの近くまで来たら、均等配置冶具２０を、中空柱１の最上部の開口部あるいは中空柱１の側部開口１Ｒから、手を伸ばして回収することができる。
【００６０】
このように、作業者は、ロープ５６を用いて、回収用冶具５０をガイド棒５に沿って引き上げ対象である均等配置冶具２０にまで下げて載せるだけで、回収用冶具５０の各永久磁石５２が均等配置冶具２０の対応する磁気的に吸引可能な部材３０を磁気的に吸引して固定することができる。そして、作業者は、ロープ５６をＺ方向に引き上げるだけで、均等配置冶具２０を中空柱１の内部から取り除くことができる。
【００６１】
これにより、均等配置冶具２０を中空柱１の内部から回収する作業は、比較的簡単な操作により大きな力を必要とせずに、比較的短時間で、効率良く行うことができる。回収用冶具５０を用いることで、回収用冶具５０には中空柱１内の均等配置冶具２０を磁気的に吸引して固定して、均等配置冶具２０を中空柱１内から比較的簡単かつ効率的に回収することができる。
【００６２】
本発明の実施形態の均等配置冶具は、同じ形状を有する複数の分割冶具部材を連結することにより構成できる。これにより、同じ形状の金型を用いて、分割冶具部材を製作できるので、分割されていない一体型の均等配置冶具を大きな金型を用いて製作するのに比べて、同じ小さなサイズの金型を用いて分割冶具部材を製作できる。このため、均等配置冶具を安価に製作でき、中空柱の補強コストを低減できる。しかも、均等配置冶具は複数の分割冶具部材により構成できるので、分割されていない一体型の均等配置冶具のサイズに比べて、分割冶具部材のサイズは小さいことから、均等配置冶具を組み立てる際に、分割冶具部材を製作現場で容易に取り扱いできる。
【００６３】
均等配置冶具は、半円形状を有する一方の分割冶具部材と、一方の分割冶具部材と同じ形状を有する半円形状を有する他方の分割冶具部材と、を連結することで構成されている。これにより、分割されていない一体型の均等配置冶具を大きな金型を用いて製作するのに比べて、同じ小さなサイズの金型を用いて分割冶具部材を製作できるので、均等配置冶具を安価に製作できる。
【００６４】
一方の分割冶具部材と他方の分割冶具部材は、それぞれ連結部分を有し、連結部分は、連結用の凹部と連結用の凹部にはめ込まれる連結用の凸部を有する。これにより、一方の分割冶具部材と他方の分割冶具部材は、連結用の凹部と連結用の凹部にはめ込まれる連結用の凸部を有する簡単な構造により、均等配置冶具の製作現場において一方の分割冶具部材と他方の分割冶具部材を容易に連結して均等配置冶具を製作できる。
【００６５】
均等配置冶具の周囲は、補強用のテープを巻くことにより補強されていることにより、一方の分割冶具部材と他方の分割冶具部材の連結状態が外れないように、補強用のテープにより補強することができる。
【００６６】
以上、実施形態を挙げて本発明を説明したが、各実施形態は一例であり、特許請求の範囲に記載される発明の範囲は、発明の要旨を逸脱しない範囲内で種々変更できるものである。
【００６７】
例えば、中空柱１の空洞内に設定される均等配置冶具の数は、中空柱１のサイズや種類に応じて、図１に示すように５つに限らず、４つ以下、あるいは６つ以上であっても良い。図示例の中空柱１は、例えば空洞を有するコンクリート製柱であるが、これに限らず鋼管柱であっても良い。
【００６８】
また、均等配置冶具２０の分割冶具部材４０は、半円形状に２分割に分割されているが、これに限らず、均等配置冶具は、同じ形状を有する３分割以上の分割冶具部材を連結することで構成されるようにしても良い。
【００６９】
均等配置冶具２０に配置できるアラミドロッド１３の本数やＰＣ鋼線１４の各本数や、均等配置冶具の形状は、図示例に限定されず、中空柱１の長さや直径に応じて任意に選択できる。ＰＣ鋼線１４は、表面が滑らかなものや、凹凸のあるものなどを採用できる。
【符号の説明】
【００７０】
１      中空柱
５      ガイド棒
１０    均等配置冶具の中央孔部
１３    アラミドロッド（補強用棒状部材）
１４    ＰＣ鋼線（補強用棒状部材）
２０    均等配置冶具
２６    アラミドテープ布（補強用テープ）
３０    磁気的に吸引可能な部材
３５    連結部分
３６    連結用の凹部
３７    連結用の凸部
４０    均等配置冶具の分割冶具部材
５０    回収用冶具
【図１】
2015098718.tif 000003
【図２】
2015098718.tif 000004
【図３】
2015098718.tif 000005
【図４】
2015098718.tif 000006
【図５】
2015098718.tif 000007
【図６】
2015098718.tif 000008
【図７】
2015098718.tif 000009
【図８】
2015098718.tif 000010
【図９】
2015098718.tif 000011
【図１０】
2015098718.tif 000012